(57)【要約】      （修正有）【課題】音響機器の音色特性が定量的かつ客観的に評価可能なオーディオ・アナライザを提供する。【解決手段】本来音の波はフーリエ変換理論よりサイン波から成る基本波と、基本波の整数倍の周波数を持った高調波を重畳した物としてとらえる事が出来る。音響機器の入力部と出力部における信号変化を複素フーリエ変換により求め、波高と位相角の変化から、音色の変化を定量的に定める。【選択図】図１
2018091821.tif 000002
【特許請求の範囲】
【請求項１】
音響機器に対して、複数の周波数の正弦波を順次又は重畳して入力し、その音響機器の入力点と出力点の信号を取り出し、それぞれの複素フーリエ変換を周波数ごとに求める。この複素フーリエ変換からそれぞれ周波数における波高と位相を求め、波高の入出力差からは音響機器の増幅率周波数特性と高調波ノイズ周波数特性が求められ、位相の入出力差からは音響機器の伝送遅れ時間周波数特性が求められる。これら増幅率周波数特性、高調波ノイズ周波数特性、伝送遅れ時間周波数特性を測定し、音響機器の伝送中における音色の変化を定量的に評価する。
【請求項２】
音響機器における増幅率周波数特性、高調波ノイズ周波数特性、伝送遅れ時間周波数特性を４４０Ｈｚの正弦波を基準とする相対値「Ａ音相対増幅率」「Ａ音相対高調波ノイズ」「Ａ音相対位相角」を算出し、これにより音響機器の種類、特性、使用状況、に関わらず音色特性を定量的に評価する事を可能にする。
【発明の詳細な説明】
【技術分野】
【０００１】  本発明は、音響機器の音色特性を解析評価するための装置に関するものである。
【背景技術】
【０００２】  オーディオ・アナライザは音質を定量化する為の測定器であり、一般的に歪みメータ、周波数カウンタ、ＡＣ電圧計、ＤＣ電圧計、ＦＦＴアナライザ、低歪みオーディオ信号源等の機能を備えた物である。
【発明の概要】
【発明が解決しようとする課題】
【０００３】  解決しようとする問題点は従来のオーディオ・アナライザによる、音色に対する評価は十分ではない点である。従来のオーディオ・アナライザは相対位相角を重視しておらず、音響機器の音色に対する評価を十分に行うことが出来なかった。そのため現状では音色の評価を人の聴覚に頼っており、客観性に欠ける点である。
【課題を解決するための手段】
【０００４】  本来音の波はフーリエ変換理論よりサイン波から成る基本波と、基本波の整数倍の周波数を持った高調波を重畳した物としてとらえる事が出来る。【０００５】  音の基本特性として、音高、音量、音色の三要素をあげる事が出来るが。基本波の周波数は音高を決め、基本波と高調波の波高が音量を決め、高調波の基本波に対する波高の比率と相対的位相角によって波形が決まり、その波形が音色を決める。【０００６】  これら音の構成要素である、音高、音量、音色、が音響機器を通過する事によってどの様に変化するかは、その音響機器の極めて重要な特性といえる。【０００７】  この中で音響機器を通過する音高、音量の変化は比較的容易に測定し定量化する事が出来る。一方音色の変化は定量的に測定する事が極めて困難で、音響機器の特性を解析評価する事を困難にしてきた。【０００８】  いま音色は音の波形により定まり、波形は基本波に対する高調波の波高比率と相対的位相角によって決まる事から、音響機器の音色特性は音響機器内における高調波の波高比率の変化、音響機器内において発生した高調波ノイズ強度、音響機器内における相対的位相角の変化により、定量的に表す事が出来る。【０００９】  ここで基本波と高調波の波高比率に着目するならば、音響機器を通過する波高比率の変化率は（数１）（数２）（数３）より基本波と高調波の増幅率の比率に等しい。従って音響機器における増幅率の周波数特性は音響機器の音色特性の一部を定量的に表していると言える。【００１０】  音響機器入力における基本波と高調波の波高比率をＰとする
基本波の波高をＨとする
高調波の波高をｈとする
音響機器出力における基本波と高調波の波高比率をＱとする
基本波の増幅率をＭとする
高調波の増幅率をｍとする
入出力における基本波と高調波の波高比率の入力に対する出力の変化率をＹとする。【００１１】
【数１】
2018091821.tif 000003
【数２】
2018091821.tif 000004
【数３】
2018091821.tif 000005
【００１２】  ここで高調波ノイズに着目するならば、音響機器を通過する基本波の高調波ノイズの周波数特性は音響機器の音色特性の一部を定量的に表していると言える。【００１３】  ここで相対的位相角に着目する。ここで言う相対的位相角とは基本波の位相角が０度の時の高調波の位相角である。高調波の周波数は基本波の整数倍である事から、高調波の角速度も基本波の角速度の整数倍となる。【００１４】  ここで基本波０度から３６０度回転し再び０度に成る時間をＴとすると、同じ時間Ｔで高調波は３６０度の整数倍だけ回転する事となり元の位相角になるため両者の測定時刻に差が無ければ常に相対位相角は一定となる。【００１５】  しかし一般的に音響機器内における音響信号の伝送遅れ時間は周波数によって一定ではなく、信号の見かけ上の経過時間は実時間プラス伝送遅れ時間となる。この為基本波がＴ時間で３６０度回転するとする時、高調波は基本波の伝送遅れ時間と高調波の伝送遅れ時間の差ｔ時間だけ変化する事となり、高調波の角速度のｔ倍だけ、相対位相角が変化する事となる。従って音響機器内における伝送遅れの周波数特性は相対位相角の変化をもたらす事から、増幅率の周波数特性と共に音響機器の音色特性の一部と捉える事が出来る。【００１６】  実際には音響機器における、増幅率、高調波ノイズ、伝送遅れ、これら三者の周波数特性を持って、音響機器の音色特性の定量化が図れたとするには多少問題がある。それは、増幅率、高調波ノイズ、伝送遅れ、の数値がそのまま音色の変化として現れる訳ではなく、あくまでも基本波との相対値の変化が音色の変化として現れる事である。【００１７】  これら相対値を絶対値化する事によって初めて、音色特性を直接的かつ定量的に評価する事が出来る。そのため仮の基本波を定めその場合の、増幅率、高調波ノイズ、伝送遅れ、の相対値を算出し、この値を持って音響機器の特性値とする。ただし伝送遅れを時間で表すと実際の波に対してどの程度の影響が有るのかを実感しにくいので、時間を仮の基本波の位相角として角度で表す事とする。【００１８】  仮の基本波の周波数をＦとする時、（数４）より求めたＰの周波数特性を「ＦＨｚ相対増幅率」、（数５）より求めたＱの周波数特性を「ＦＨｚ相対高調波ノイズ」、（数６）（数７）より求めたθの周波数特性を「ＦＨｚ相対位相角」とする。【００１９】  「ＦＨｚ相対増幅率」、「ＦＨｚ相対高調波ノイズ」、「ＦＨｚ相対位相角」、を求め  る周波数をｆとする
周波数ｆの増幅率をｍとする
周波数ｆの「ＦＨｚ相対増幅率」をＰとする
周波数ｆの高調波ノイズをｎとする
周波数ｆの「ＦＨｚ相対高調波ノイズ」をＱとする
周波数ｆの伝送遅れ時間をｔとする
周波数ｆの「ＦＨｚ相対位相角」をθとする
基本波の周波数をＦとする
周波数Ｆの増幅率をＭとする
周波数Ｆの波高をＮとする
周波数Ｆの伝送遅れ時間をＴとする
周波数Ｆの角速度をωとする【００２０】
【数４】
2018091821.tif 000006
【数５】
2018091821.tif 000007
【数６】
2018091821.tif 000008
【数７】
2018091821.tif 000009
【００２１】  音響の世界では４４０Ｈｚの音（Ａ音）を基準としている事が多い事から、ここでは基本波を４４０Ｈｚとした場合の、増幅率、高調波ノイズ率、伝送遅れ、の相対値を計測し、この値を持って音響機器の特性値とする。ただし伝送遅れを時間で表すと実際の波に対してどの程度の影響が有るのかを実感しにくいので、時間を４４０Ｈｚにおける位相角として角度で表す事とする。この後この値をそれぞれ「Ａ音相対増幅率」「Ａ音相対高調波ノイズ」「Ａ音相対位相角」と呼ぶものとする。【００２２】  ここで実際の計測方は計測しようとする音響機器に目的の周波数のサイン波を入力し、その入力部と出力部の両者の信号を同時にディジタル化し複素フーリエ変換により波高と位相をそれぞれ求め、その入力値と出力値の差から、音響機器を通過する際の増幅率、高調波ノイズ、遅れ時間を計測する。この計測を各周波数において計測し、さらに絶対値化の変換を行った物を測定値として周波数を横軸とした、周波数特性グラフ等のかたちで表示する。
【発明の効果】
【００２３】  音響機器の音色特性を「Ａ音相対増幅率」「Ａ音相対高調波ノイズ」「Ａ音相対位相角」で表す事によって、従来主観的な評価であった音色特性が定量的かつ客観的に評価可能となった。
【図面の簡単な説明】
【００２４】
【図１】図１はオーディオ・アナライザの実施方法を示した説明図である。
【実施例１】
【００２５】  図１は、本発明装置の実施例であり、エレキギターとギターアンプの間を接続するために使用されるシールドケーブルの特性を測定する場合の概念図である。【００２６】  図１において、２は、測定しようとするシールドケーブルである。
１は、１００ＫΩの抵抗でエレキギターの出力インピーダンスが通常１００ＫΩ程度で有るため実用時を想定して挿入する。
３は、１ＭΩの抵抗でギターアンプの入力インピーダンスが通常１ＭΩ程度で有るため実用時を想定して挿入する。【００２７】  ４は、ディジタル・アナログ変換器（以後、ＤＡＣと表記）で離散化正弦波を受け取り、正弦波を発生させる。
５は、入力部アナログ・ディジタル変換器（以後、入力部ＡＤＣと表記）で被測定シールドケーブル入力部の電圧を、離散化し出力する。
６は、出力部アナログ・ディジタル変換器（以後、出力部ＡＤＣと表記）で被測定シールドケーブル出力部の電圧を、離散化し出力する。【００２８】  ７は、離散化正弦波と同位相の離散化余弦波の発生器で正弦波をＤＡＣに、正弦波と余弦波を入力フーリエ変換部と、出力フーリエ変換部にそれぞれ供給する。【００２９】  ８は、入力フーリエ変換部で入力ＡＤＣからのデータと離散化正弦波と離散化余弦波により入力離散化複素フーリエ変換を演算する。
９は、出力フーリエ変換部で出力ＡＤＣからのデータと離散化正弦波と離散化余弦波により出力離散化複素フーリエ変換を演算する。【００３０】  １０は、演算処理とその結果の表示部で入出力フーリエ変換部より得たフーリエ変換値を元に演算により「Ａ音相対増幅率」「Ａ音相対高調波ノイズ」「Ａ音相対位相角」を求め表示を行う。【００３１】  （表１）（表２）（表３）は、資料Ａ、資料Ｂ、資料Ｃ、について実際に計測を行った結果を表にした物である。【００３２】  （表４）は、（表１）におけるＡ音相対増幅率をグラフにした物である。このグラフから資料Ｂが最も増幅率の変化により音色を変化させない事が見て取れる。また資料Ａは最も大きく増幅率の変化により音色を変化させる、また資料ＣはＡ，Ｂの中間である。【００３３】  （表５）は、（表２）におけるＡ音相対位相角をグラフにした物である。
このグラフから資料Ｂが最も相対位相角の変化により音色を変化させない事が見て取れる。資料Ａは最も大きく音色を変化させる、資料ＣはＡ，Ｂの中間である。【００３４】  （表３）から「Ａ音相対高調波ノイズ」は極めて低レベルで在り、音色には有為な影響がないことが見て取れる。【００３５】  以上の結果から資料Ｂが最も音色を変化させない事が見て取れる。資料Ａは最も大きく音色を変化させる、資料ＣはＡ，Ｂの中間である。【００３６】
【表１】
2018091821.tif 000010
2018091821.tif 000011
【００３７】
【表２】
2018091821.tif 000012
【００３８】
【表３】
2018091821.tif 000013
2018091821.tif 000014
【００３９】
【表４】
2018091821.tif 000015
【００４０】
【表５】
2018091821.tif 000016
【符号の説明】
【００４１】  １    １００ＫΩ抵抗
２    被測定シールドケーブル
３    １ＭΩ抵抗
４    ディジタル・アナログ変換器
５    入力部アナログ・ディジタル変換器
６    出力部アナログ・ディジタル変換器
７    離散化正弦波、余弦波発生器
８    入力離散化複素フーリエ変換算出部
９    出力離散化複素フーリエ変換算出部
１０  演算処理と結果表示部
【図１】
2018091821.tif 000017